(57)【要約】      （修正有）【課題】読者に強烈なインパクトを与え得る書籍を提供する。【解決手段】書籍１は、題号及び著者名が表示された表紙１０と、所定の背表紙２０及び裏表紙３０とを少なくとも備える。表紙と裏表紙との間に無地でかつ白紙のみで構成される本体ページ４０が付加される構成の場合、本体ページが無地でかつ白紙のみで構成されていることにより、読者は驚くとともに強烈なインパクトを受けるものと想定する。また、本体ページが存在しない構成の場合、そのことにより、読者は驚くとともに強烈なインパクトを受けるものと想定する。【選択図】図３
0003233710.tif 000002
【実用新案登録請求の範囲】
【請求項１】
題号と著者名が表示された表紙と、
前記表紙の裏面側方向に配置する裏表紙と、
前記表紙の一方側端部から延設又は前記表紙の一方側端部と接続するとともに前記裏表紙方向へ折曲され、かつ、前記裏表紙の一方側端部から延設又は前記裏表紙の一方側端部と接続する背表紙と、
で構成した書籍。
【請求項２】
さらに、前記表紙と前記裏表紙との間に、無地でかつ白紙のページのみで構成した本体ページを付加挟設した請求項１の書籍。
【請求項３】
前記本体ページ１枚分の厚みよりも、前記表紙又は前記裏表紙の厚みの方を厚くした請求項２の書籍。
【考案の詳細な説明】
【技術分野】
【０００１】
本願考案は、書籍を手にした読者に強烈なインパクトを与えるために、本文ページを無地でかつ白紙のみで構成したあるいは本文ページ自体が存在しない書籍である。
【背景技術】
【０００２】
従来から、様々な構成、大きさ・サイズ（新書判、文庫サイズ、単行本、四六判など）及び種類・分類の書籍（本）が実在する。
【０００３】
ところで、書籍や本に関する発明又は考案の中には、本文ページの一部を白紙にしたものも存在する（特許文献１）。
【先行技術文献】
【特許文献】
【０００４】
【特許文献１】特開平８−２３８８６６号公報
【考案の概要】
【考案が解決しようとする課題】
【０００５】
前述した特許文献１の考える本は、読者の思考意見を作者と同一の場に参加させることにより、作者と交流できる手帳ノートを兼ねた読者独自の考える本とすることを目的とし、活字列を印刷した印刷面の各裏面を筆記具で記述できる白紙とした記述頁とし、裏表紙外面を白紙の読者表題部とし背表紙の縦半分を読者背表紙表題部とした構成としている。
【０００６】
たしかに、作者と交流できる手帳ノートを兼ねた読者独自の考える本として構成されその一部に白紙が含まれているが、本願考案の書籍とは、全体的な構成、目的など多数の異なる部分が存在する。
【０００７】
本願考案は、読者に強烈なインパクトを与え得る書籍を提供することである。
【課題を解決するための手段】
【０００８】
本願考案は、題号と著者名が表示された表紙と、前記表紙の裏面側方向に配置する裏表紙と、前記表紙の一方側端部から延設又は前記表紙の一方側端部と接続するとともに前記裏表紙方向へ折曲され、かつ、前記裏表紙の一方側端部から延設又は前記裏表紙の一方側端部と接続する背表紙とで構成した書籍を提供する。
【０００９】
本願考案は、さらに、前記表紙と前記裏表紙との間に、無地でかつ白紙のページのみで構成した本体ページを付加挟設した書籍を提供する。
【００１０】
本願考案は、さらに、前記本体ページ１枚分の厚みよりも、前記表紙又は前記裏表紙の厚みの方を厚くした書籍を提供する。
【考案の効果】
【００１１】
本願考案の書籍は、題号と著者名が表示された表紙と、前記表紙の裏面側方向に配置する裏表紙と、前記表紙の一方側端部から延設又は前記表紙の一方側端部と接続するとともに前記裏表紙方向へ折曲され、かつ、前記裏表紙の一方側端部から延設又は前記裏表紙の一方側端部と接続する背表紙とで構成したため、読者は驚くとともに強烈なインパクトを受けるものと想定する。
【００１２】
本願考案の書籍は、さらに、前記表紙と前記裏表紙との間に、無地でかつ白紙のページのみで構成した本体ページを付加挟設したため、読者は驚くとともに強烈なインパクトを受けるものと想定する。
【００１３】
また、本願考案の書籍は、さらに、前記本体ページ１枚分の厚みよりも、前記表紙又は前記裏表紙の厚みの方を厚くしたため、耐久性に優れる。
【図面の簡単な説明】
【００１４】
【図１】図１は実施例１の書籍（右開き）の全体構成図である。
【図２】図２は実施例１の書籍の表紙を開いた状態を示す図である。
【図３】図３は実施例２の書籍（右開き）の全体構成図である。
【図４】図４は実施例２の書籍の表紙を開いた状態を示す図である。
【図５】図５はその他の書籍（左開きの絵本サイズ）を示すイメージ図である。
【考案を実施するための形態】
【００１５】
所定の題号を表示した新刊本（新書判）や単行本として実施する。
【実施例１】
【００１６】
まずは、実施例１の書籍の構成について図１及び図２に従い説明する。
【００１７】
書籍（１）は、題号（１１）と著者名（１２）が表示された表紙（１０）と、前記表紙の裏面側（１０ｂ）方向に配置する裏表紙（３０）と、前記表紙の一方側端部（１０ａ）から延設するとともに前記裏表紙方向へ略９０度折曲され、かつ、前記裏表紙の一方側端部（３０ａ）からも延設する背表紙（２０）と、で構成する（図１及び図２）。
【００１８】
前記表紙（１０）の材質及び厚みについて、いわゆる新書判を想定した２ミリメートル程度の厚みである厚紙を想定しているが、単行本や文庫本などの書籍として一般的な材質及び厚みのものを使用することも許容するものとする。
【００１９】
前記表紙（１０）には、少なくとも当該書籍の題号（１１）及び著者名（１２）を表示することを要する（図１）。
【００２０】
前記題号（１１）又は前記著者名（１２）を表示する位置について、前記表紙（１０）上であればいずれの位置であっても良いものとする。
【００２１】
なお、前記表紙（１０）には、前記題号（１１）及び著者名（１２）のほか、背景に所定の写真やイラストなどの視覚的効果を有する表示や、凹凸などの触覚的効果を有する加工を施すことも許容する。
【００２２】
前記背表紙（２０）の構成について、本実施例では、前記表紙（１０）の右側端部（１０ａ）から延設するとともに前記裏表紙（３０）方向へ折曲され、かつ、前記裏表紙の右側端部からも延設した背表紙としている（図１）が、当該背表紙と表紙とが、接続されていれば延設されていなくても良いものとする（図示せず）。
【００２３】
また、当該背表紙と裏表紙とが、接続されていれば延設されていなくても良いものとする（図示せず）。
【００２４】
前記背表紙（２０）への表示に関して、前記表紙（１０）に表示した題号（１１）及び著者名（１２）と同一の表示をした方が好ましいものと考える。書棚に収納して並べられた状態であったとしても当該題号と著者名の確認ができるからである（図示せず）。
【００２５】
前記裏表紙（３０）の材質及び厚みについて、前記表紙（１０）と同様の２ミリメートル程度の厚みである厚紙を想定しているが、単行本や文庫本などの書籍として一般的な材質及び厚みのものを使用することも許容するものとする。
【００２６】
なお、前記裏表紙（３０）への表示に関して、書籍価格や著者に関する情報（プロフィール、著者からのメッセージなど）、あるいは当該書籍の意図などの表示をすることは許容する。
【００２７】
また、前記表紙（１０）、前記背表紙（２０）及び前記裏表紙（３０）の全体を覆うカラー印刷が施された紙製カバーや、前記紙製カバーのさらに外側に装着される帯を付加することも可能である。
【００２８】
次に、実施例１の書籍（題号を「〇〇以上に大切なこと」と仮定する。）を贈答品として手にした読者の作動イメージを図１及び図２に従い説明する。
【００２９】
表紙（１０）に表示された題号（１１）を確認した後、前記表紙をめくるといきなり裏表紙（３０）があらわれるため、読者は、まずは驚きを感じるものと想定する（図１及び図２）。
【００３０】
そして、本体ページが存在しないことに対して、様々な想像をしたり、いろいろなことを考えたりする者もいるかもしれない。
【００３１】
いずれにせよ、読者は、驚くとともに強烈なインパクトを受けるものと想定する。
【実施例２】
【００３２】
実施例２の書籍は、所定の本体ページを付加したものであり、その構成について図３及び図４に従い説明する。
【００３３】
書籍（１）は、実施例１の書籍と同様の表紙（１０）、背表紙（２０）及び裏表紙（３０）を備え、さらに、前記表紙と前記裏表紙との間に無地でかつ白紙のページのみで構成する本体ページ（４０）を挟設している（図３）。
【００３４】
前記本体ページ（４０）について、「無地でかつ白紙のページのみ」とは、無模様、単色のページでかつ何らの文章、文字、罫線も記載されておらず、また、何らの挿絵、イラスト、写真なども掲載されていないページのみであることを指すものもとする（図４）。
【００３５】
前記本体ページ（４０）のページ数（枚数）について、一般的な書籍と同様のページ数（数十ページ程度）を想定しているが、特に限定する意図は無く、数ページ（複数枚）であっても１ページ（１枚）であっても良いものとする。
【００３６】
前記本体ページ（４０）の材質について、製作コスト面を考慮して書籍として一般的な紙材を想定しているが、無地でかつ白紙のページのみで構成することが可能であれば、その他の材質（透光性を有するものや透明であるものも包含する。）であっても許容するものとする。
【００３７】
前記本体ページ（４０）１枚分の厚みと前記表紙（１０）又は前記裏表紙（３０）の厚みとの関係について、書籍としての耐久性に考慮すれば、前記本体ページ１枚分の厚みよりも、前記表紙又は前記裏表紙の厚みの方を厚くした方が好ましい（図３）。
【００３８】
本願考案の書籍（１）の大きさ・サイズ（判型）及び分類・種類について、新刊本（新書判）であれば長辺１７３ミリメートル、短辺１０５ミリメートル、文庫本であれば長辺１４８ミリメートルから１５２ミリメートル、短辺１０５ミリメートル、単行本（Ｂ６判）であれば長辺１８２ミリメートル、短辺１２８ミリメートル、四六判であれば長辺１８８ミリメートル程度となるが、これらに限定することはなく、その他の書籍（例えば、絵本。）であっても良いものとする（図５）。
【００３９】
次に、実施例２の書籍（題号を「〇〇以上に大切なこと」と仮定する。）を贈答品として手にした読者の作動イメージを図３及び図４に従い説明する。
【００４０】
表紙（１０）に表示された題号を確認した後、前記表紙をめくると、無地でかつ白紙のみで構成された本体ページ（４０）があらわれるため、読者は、まずは驚きを感じるものと想定する。そして、前記本体ページをめくってもめくっても、無地でかつ白紙の本体ページが続くことに対して、様々な想像をしたり、いろいろなことを考えたりする者もいるかもしれない（図３及び図４）。
【００４１】
いずれにせよ、読者は、驚くとともに強烈なインパクトを受けるものと想定する。
【００４２】
なお、実施例１の書籍において本体ページが存在しないこと、実施例２の書籍において無地でかつ白紙のみの本体ページで構成されていること、はいずれも「何もない。」という暗示的なメッセージを表現したものである。
【産業上の利用可能性】
【００４３】
本願考案は、読者に強烈なインパクトを与え得る優れた書籍であるので産業上の利用可能性を有する。
【符号の説明】
【００４４】
１      書籍
１０    表紙
１０ａ  表紙の一方側端部（背表紙との境界部）
１０ｂ  表紙の裏面
１１    題号
１２    著者名
２０    背表紙
３０    裏表紙
３０ａ  裏表紙の一方側端部（背表紙との境界部）
４０  本体ページ
【図１】
0003233710.tif 000003
【図２】
0003233710.tif 000004
【図３】
0003233710.tif 000005
【図４】
0003233710.tif 000006
【図５】
0003233710.tif 000007